(57)【要約】      （修正有）【課題】特殊な工具を用いて強制的に開けることができ且つカード挿入式を採用して開けることも可能なかばん用錠を提供する。【解決手段】複合式カード挿入式かばん用錠では、番号カード４の挿入によって、錠ピン３の押し付け部と秘密鍵孔２４との嵌合深さが異なることにより、錠ピンの異なる変位が実現し、差止め棒３０が対応する挿入孔７の位置まで移動し、ピン機構が作動片８を移動し、ノブ１２を回転しマンドレル１６上の第二のフォークを回転する。さらに、ボタン２２を押すとマンドレルを移動して差込棒１７とかばん上の差込孔とが分離され、専用工具を挿入し、錠プラグを回転すると、錠プラグが作動桿を移動し、ノブを回転しマンドレル上の第二のフォークを回転し、ボタンを押すとマンドレルを移動して差込棒とかばん上の差込孔とが分離され、かばんが開けられる。【選択図】図２
0003170592.tif 000002
【実用新案登録請求の範囲】
【請求項１】
複合式カード挿入式かばん用錠であって、カード挿入口２が設けられた錠外殻部１と、ピン機構にして、前記ピン機構内に複数の錠ピン３が設けられ、該ピン機構が前記錠ピン３と番号カード４との間の秘密鍵機構と協働することにより各錠ピン３の異なる変位を実現し、これにより、前記番号カード４を推し進めると前記錠外殻部１内にて直線的な移動が可能となるピン機構と、前記ピン機構の移動後のリセットが可能な第一の弾性要素５と、前記錠ピン３の挿入が可能な挿入孔７が設けられた数字板６と、前記ピン機構上に設けられ該ピン機構の移動に追従可能な作動片８と、凸状片１０と作動ブロック１１とが設けられた制御部材９にして、前記凸状片１０が前記作動片８によって動かされることにより回転される制御部材９と、第一のフォーク１３と第二のフォーク１４と第三のフォーク１５とが設けられたノブ１２にして、前記作動ブロック１１の作動によって前記第一のフォーク１３が動くことで回転するノブ１２と、かばん上の差込孔に挿入可能な差込棒１７が設けられ且つ前記第二のフォーク１４が押し付けられるマンドレル１６と、該マンドレル１６の移動後のリセットが可能な第二の弾性要素１８と、錠プラグ２０が設けられる錠プラグ受容部１９にして、その内側にて鍵を動かすことにより前記錠プラグ２０が回転できるようになった錠プラグ受容部１９と、該錠プラグ１９上に設けられ前記第三のフォーク１５を動かして前記ノブ１２を回転させることのできる作動桿２１と、前記マンドレル１６を押して前記錠外殻部１内にて直線的に移動できるボタン２２と、前記凸状片１０を押すことのできる支持ブロック２３とを含むことを特徴とするかばん用錠。
【請求項２】
請求項１のかばん用錠であって、前記秘密鍵機構が、前記番号カード４に設けられた直径の大きさの異なる秘密鍵孔２４と、前記錠ピン３上に設けられ前記秘密鍵孔２４と位置が一対一に対応した半円形の押圧部２５とを含んでいることを特徴とするかばん用錠。
【請求項３】
請求項１のかばん用錠であって、前記ピン機構が、ピン抑制板２６を含み、該ピン抑制板２６には、ピン受容部２７が設けられ、該ピン受容部２７内にては、複数のピン溝２８が設けられ、前記錠ピン３が前記ピン溝２８内に配置され、且つ、該ピン溝２８に沿って直線的に移動可能であり、前記ピン溝２８内に前記錠ピン３をリセットさせることのできるリセットばね２９が設けられ、前記作動片８が前記ピン抑制板２６上に設けられていることを特徴とするかばん用錠。
【請求項４】
請求項３のかばん用錠であって、前記錠ピン３に、差止め棒３０が設けられ、該差止め棒３０が、対応する挿入孔７を貫通可能であることを特徴とするかばん用錠。
【考案の詳細な説明】
【技術分野】
【０００１】
本考案は、機械式錠に係り、特に、複合式カード挿入式のかばん用錠に係る。
【背景技術】
【０００２】
特定の顧客の需要を満足するために、特殊な専用の鍵を用いて開けることができ且つカードを挿入する形式にて開けることができ、これにより、指定された者が統一的に容易に管理することのできる錠が必要となっている。
【考案の概要】
【考案が解決しようとする課題】
【０００３】
現在の技術的な不十分さを克服するために、本考案の課題は、特殊な工具を用いて強制的に開けることが可能であり且つカード挿入式を採用して開けることも可能なかばん用錠を提供することである。
【課題を解決するための手段】
【０００４】
本考案によれば、上記の課題は、複合式カード挿入式かばん用錠であって、カード挿入口が設けられた錠外殻部と、ピン機構にして、該ピン機構内に複数の錠ピンが設けられ、該ピン機構が錠ピンと番号カードとの間の秘密鍵機構と協働することにより各錠ピンの異なる変位を実現し、これにより、番号カードを推し進めると錠外殻部内にて直線的な移動が可能となるピン機構と、ピン機構の移動後のリセットが可能な第一の弾性要素と、錠ピンの挿入が可能な挿入孔が設けられた数字板と、ピン機構上に設けられピン機構の移動に追従可能な作動片と、凸状片と作動ブロックとが設けられた制御部材にして、前記凸状片が作動片に動かされることにより回転される制御部材と、第一のフォークと第二のフォークと第三のフォークとが設けられたノブにして、作動ブロックの作動によって第一のフォークが動くことで回転するノブと、かばん上の差込孔に挿入可能な差込棒が設けられ且つ第二のフォークが押し付けられるマンドレルと、マンドレルの移動後のリセットが可能な第二の弾性要素と、錠プラグが設けられる錠プラグ受容部にして、その内側にて鍵を動かすことにより錠プラグが回転できるようになった錠プラグ受容部と、錠プラグ上に設けられ第三のフォークを動かしてノブを回転させることのできる作動桿と、マンドレルを押して錠外殻部内にて直線的に移動できるボタンと、凸状片を押すことのできる支持ブロックとを含むことを特徴とするかばん用錠により達成される。
【０００５】
上記の考案をより良くするために、秘密鍵機構は、番号カードに設けられた直径の大きさの異なる秘密鍵孔と、錠ピン上に設けられ秘密鍵孔と位置が一対一に対応した半円形の押圧部とを含んでいる。
【０００６】
また、前記のピン機構は、ピン抑制板を含み、ピン抑制板には、ピン受容部が設けられ、ピン受容部内にては、複数のピン溝が設けられ、前記の錠ピンがピン溝内に配置され、且つ、ピン溝に沿って直線的に移動可能であり、ピン溝内に、錠ピンをリセットさせることのできるリセットばねが設けられ、前記の作動片がピン抑制板上に設けられる。
【０００７】
更に、錠ピンには、差止め棒が設けられ、差止め棒は、対応する挿入孔を貫通可能である。
【考案の効果】
【０００８】
本考案の有益な効果は、以下の通りである。即ち、本考案の番号カード上に直径の異なる秘密鍵孔が設けられ、ピン機構に於いて、秘密鍵孔と対応する錠ピンが設けられ、錠ピン上に於いて秘密鍵孔と一対一に対応する位置にて半円形の押し付け部が設けられ、番号カードの挿入によって、押し付け部と秘密鍵孔との嵌め合いの深さが異なることにより、錠ピンの異なる変位が実現し、これにより、差止め棒が正確に対応する挿入孔の位置まで移動し、ピン機構が作動片を移動し、作動片が、制御部材によりノブを動かして回転し、ノブがマンドレル上の第二のフォークを押して回転し、ボタンを押すことにより、マンドレルを押して移動し、これにより、差込棒とかばん上の差込孔との分離が実現し、かばんが開けられ、また、もし特殊な専用の鍵を挿入した場合には、鍵が錠プラグを回転することにより、錠プラグが作動桿を動かし、作動桿がノブを回転し、これにより、ノブがマンドレル上の第二のフォークを押して回転し、ボタンを押すことにより、マンドレルを押して移動し、これにより、差込棒とかばん上の差込孔との分離が実現し、かばんが開けられる。
【０００９】
上記の二つの方式により、かばんの所有者と特定の者とが共に容易にかばんを開けることが可能となる。
【００１０】
以下、添付の図面と実施形態により、本考案は更に説明される。
【図面の簡単な説明】
【００１１】
【図１】図１は、本考案の使用状態の立体図である。
【図２】図２は、本考案の分解図である。
【図３】図３は、本考案の錠外殻部を取り外した状態の立体斜視図である。
【図４】図４は、本考案の底板を取り外した状態の立体斜視図である。
【図５】図５は、本考案の断面図である。
【図６】図６は、本考案のピン機構の部分を示す図である。
【図７】図７は、本考案の制御部材の回転の原理を示す図である。
【符号の説明】
【００１２】
１…錠外殻部
３…錠ピン
４…番号カード
８…作動片
１０…凸状片
１１…作動ブロック
１２…ノブ
１３…第一のフォーク
１４…第二のフォーク
１５…第三のフォーク１５
１６…マンドレル
１７…差込棒
２０…錠プラグ
２１…作動桿
２２…ボタン
【考案を実施するための形態】
【００１３】
図１〜図７を参照して、本考案によれば、複合式カード挿入式かばん用錠であって、カード挿入口２が設けられた錠外殻部１と、ピン機構にして、該ピン機構内に複数の錠ピン３が設けられ、該ピン機構が錠ピン３と番号カード４との間の秘密鍵機構と協働することにより各錠ピン３の異なる変位を実現し、これにより、番号カード４を推し進めると錠外殻部１内にて直線的な移動が可能となるピン機構と、ピン機構の移動後のリセットが可能な第一の弾性要素５と、錠ピン３の挿入が可能な挿入孔７が設けられた数字板６と、ピン機構上に設けられピン機構の移動に追従可能な作動片８と、凸状片１０と作動ブロック１１とが設けられた制御部材９にして、該凸状片１０が作動片８により動かされることにより回転される制御部材９と、第一のフォーク１３と第二のフォーク１４と第三のフォーク１５とが設けられたノブ１２にして、作動ブロック１１の作動によって第一のフォーク１３が動くことで回転するノブ１２と、かばん上の差込孔に挿入可能な差込棒１７が設けられ且つ第二のフォーク１４が押し付けられるマンドレル１６と、マンドレル１６の移動後のリセットが可能な第二の弾性要素１８と、錠プラグ２０が設けられる錠プラグ受容部１９にして、その内側にて鍵を動かすにより錠プラグ２０が回転できるようになった錠プラグ受容部１９と、錠プラグ１９上に設けられ第三のフォーク１５を動かしてノブ１２を回転させることのできる作動桿２１と、マンドレル１６を押して錠外殻部１内にて直線的に移動できるボタン２２と、凸状片１０を押すことのできる支持ブロック２３とを含むかばん用錠が開示される。
【００１４】
上記の構成に於いて、本考案に於ける錠プラグ受容部１９と特殊な専用の鍵と組み合わされる錠プラグ２０は、本考案に於いて、一般的な標準の方法に従って製作されるので、本明細書に於いて説明は省略する。
【００１５】
図示されている如く、本実施形態に於いて、第一の弾性要素５と第二の弾性要素１８は、通常の圧縮ばねが採用される。錠殻１内には、ピン機構が設けられ、ピン機構は、ピン抑制板２６を含み、ピン抑制板２６には、ピン受容部２７が設けられ、ピン受容部２７内にては、複数のピン溝２８が設けられ、前記の錠ピン３がピン溝２８内に配置され、且つ、ピン溝２８に沿って直線的に移動可能であり、ピン溝２８内に、錠ピンをリセットさせることのできるリセットばね２９が設けられ、前記の作動片８がピン抑制板上に設けられる。秘密鍵機構は、番号カード４に設けられた直径の大きさの異なる秘密鍵孔２４と、錠ピン３上に設けられ秘密鍵孔と位置が一対一に対応した半円形の押圧部２５とを含んでいる。勿論、上記の構成は、本考案の一つの具体例に過ぎず、その構成に限定されず、上記の構成は、番号カード４上に半円形の押し付け部２５を設け、錠ピン３上に押し付け部２５と一対一の対応にて位置決めされる直径の大きさの異なる秘密鍵孔２４が設けられた構成であってもよい。更に、錠ピン上に差止め棒３０が設けられ、差止め棒３０は、対応する挿入孔７を貫通可能である。また更に、錠殻１内に凸状片１０を押圧可能な支持ブロックが設けられ、かかる構成により、制御部材９が反転して損傷されることが防止される。
【００１６】
本考案の作動は、次の通りである。：番号カード４上に直径の異なる秘密鍵孔２４が設けられ、ピン溝２８に秘密鍵孔２４に対応する錠ピン３が設けられ、錠ピン３に秘密鍵孔２４と一対一の対応に置かれた半円形の押し付け部２５が設けられ、番号カード４の挿入によって、錠ピン３上の半円形の押し付け部２５と秘密鍵孔２４との嵌め合いの深さが異なることにより、錠ピン３の異なる変位が実現し、これにより、差止め棒３０が正確に対応する数字板６に於ける挿入孔７の位置まで移動し、番号カード４を推し進めると差止め棒３０が挿入孔７に挿入して移動し、ピン機構がこれに伴って移動し、これにより、作動片８が移動され、作動片８が凸状片１０を動かし、制御部材９を回転させ、制御部材９上の作動ブロック１１が回転すると同時に第一のフォーク１３を動かし、第一のフォーク１３が動いてノブ１２が回転し、これにより、ノブ１２がマンドレル１６上の第二のフォーク１４を押圧して回転し、その際、ボタン２２を押してマンドレル１６を押圧し、差込棒１７を移動すると、差込棒１７が差込孔から脱出し、これにより、差込棒１７とかばん上の差込孔との分離が実現され、かばんが開けられることとなる。
【００１７】
一方、特殊な専用の鍵を挿入した場合、鍵による錠プラグ２０の回転によって、錠プラグが作動桿２１を作動し、作動桿２１が第三のフォーク１５を動かしてノブ１２を回転し、これにより、ノブ１２がマンドレル１６上の第二のフォーク１４を押して回転し、このとき、ボタン２２を押すことにより、マンドレル１６を押して差込棒１７を移動し、差込棒１７を差込孔から脱出させ、これにより、差込棒１７とかばん上の差込孔との分離が実現し、かばんが開けられる。
【００１８】
当然、上記は、本考案の好ましい実施例を参照して為された説明の模範例であり、本考案の精神及び範囲から逸脱することなく、本考案の属する技術分野の通常の知識を有する物について、多くの変更及び修正が為されることは理解されるべきである。
【図１】
0003170592.tif 000003
【図２】
0003170592.tif 000004
【図３】
0003170592.tif 000005
【図４】
0003170592.tif 000006
【図５】
0003170592.tif 000007
【図６】
0003170592.tif 000008
【図７】
0003170592.tif 000009